(57)【特許請求の範囲】
【請求項１】
消臭機能成分を溶解した水溶液をミストとして遊技場内に放出させるミスト発生装置と該ミストを吸着する吸着媒体とを、遊技場の遊技機島台又は遊技機台に配置した空気消臭装置であって、
前記ミスト発生装置は、
前記水溶液を吸水保持した保水基材に突設された放出基材と、
該多孔質成型体に前記水溶液を供給する給水手段と、
直流高電圧電源と、を備え、
前記直流高電圧電源の負極を前記保水基材に接続し、
陽極を前記吸着媒体に接続し、
前記保水基材に吸水されている前記水溶液を前記放出基材からマイナス帯電されたミストとして放出させ、
該放出されたミストを、遊技場の遊技機島台又は遊技機台に配置された前記吸着媒体上に吸着するようにしたことを特徴とする空気消臭装置。
【請求項２】
前記吸着媒体として、金属プレートを設け、
該金属プレートの上面又は下面に、あるいは両面に紙や不織布などで形成されたフィルタを設け、
該フィルタを金属プレートから着脱可能としたことを特徴とする請求項１に記載の空気消臭装置。
【請求項３】
前記金属プレート上に金網を装着し、この金網と金属プレートとでフィルタを挟持させたことを特徴とする請求項１又は２に記載の空気消臭装置。
【請求項４】
消臭機能成分を溶解した水溶液をミストとして遊技場内に放出させるミスト発生装置と該ミストを吸着する吸着媒体とを、遊技場の遊技機島台又は遊技機台に配置した空気消臭装置を用いた空気消臭方法であって、
前記ミスト発生装置は、
前記水溶液を吸水保持した保水基材に突設された放出基材と、
該多孔質成型体に前記水溶液を供給する給水手段と、
直流高電圧電源と、を備え、
前記直流高電圧電源の負極を前記保水基材に接続し、
陽極を前記吸着媒体に接続し、
前記保水基材に吸水されている前記水溶液を前記放出基材からマイナス帯電されたミストとして放出させ、
該放出されたミストを、遊技場の遊技機島台又は遊技機台に配置された前記吸着媒体上に吸着するようにしたことを特徴とする空気消臭方法。
【請求項５】
前記吸着媒体として、
金属プレートを設け、
該金属プレートの上面又は下面に、あるいは両面に紙や不織布などで形成されたフィルタを設け、
該フィルタを金属プレートから着脱可能としたことを特徴とする請求項４に記載の空気消臭方法。
【請求項６】
前記金属プレート上に金網を装着し、この金網と金属プレートとでフィルタを挟持させたことを特徴とする請求項４又は５に記載の空気消臭方法。
【発明の詳細な説明】
【技術分野】
【０００１】
本発明は、例えば、遊技場等におけるたばこの煙を除塵消臭するための空気消臭装置に関する。
【背景技術】
【０００２】
近年、遊技場でたばこの煙等による室内環境の劣化を改善する空気清浄装置が提案されている。
【０００３】
この空気清浄装置は、例えばパチンコ島台に取り付けられ、室内から吸い込んだ空気を浄化して室内に排気する構成となっている。従って、室内のたばこの煙等を除去して、室内環境を改善することができる。
【０００４】
しかし、たばこの煙を十分に除塵消臭することができず、且つパチンコの遊技者の衣服等に臭いが付着するという問題があった。
【０００５】
【特許文献１】特許第２５３６２８６号公報
【特許文献２】特許第２７５４３５９号公報
【特許文献３】特許第２８１１４４３１号公報
【発明の開示】
【発明が解決しようとする課題】
【０００６】
解決しようとする問題点は、たばこの煙等を十分に除塵消臭することができない点である。  
【課題を解決するための手段】
【０００７】
本発明は、たばこの煙等を十分に除塵消臭するために、消臭機能成分を溶解した水溶液に高電圧を掛け、放電現象により消臭機能性成分含有ミストを室内に放出させてたばこの煙を除塵消臭する発生装置を設け、前記放出された消臭機能性成分含有ミストを吸着可能な吸着媒体を設けたことを最も主要な特徴とする。
【発明の効果】
【０００８】
本発明の空気消臭装置は、消臭機能成分を溶解した水溶液に高電圧を掛け、放電現象により消臭機能性成分含有ミストを室内に放出させてたばこの煙を除塵消臭する発生装置を設け、前記放出された消臭機能性成分含有ミストを吸着可能な吸着媒体を設けたため、ナノサイズの消臭機能性成分含有ミストが空気中のたばこの煙等の除塵消臭を行うと共に、除塵消臭したミストが吸着媒体に吸着され、衣服にたばこの臭い等が付着するのを抑制することができる。
【発明を実施するための最良の形態】
【０００９】
たばこの煙等を十分に除塵消臭することを可能にするという目的を、消臭機能性成分含有ミストの発生装置及び吸着媒体により実現した。
【実施例１】
【００１０】
［空気消臭装置の取付位置］
図１は、本発明の実施例１に係る遊技機島台の空気消臭装置の取付位置の例を示す概略斜視図、図２は、パチンコ島台の側面図である。
【００１１】
図１，図２のように、空気消臭装置１，１Ａ，１Ｂ，１Ｃは、遊技機島台としてのパチンコ島台３の幕板５，パチンコ島台３の呼び出しランプ取付箇所の表示板７、パチンコ島台３の上端９の何れかに選択的に設けられている。空気消臭装置を小型にして、遊技機台であるパチンコ台１１に設けることも可能である。
【００１２】
前記パチンコ島台３には、複数台のパチンコ台１１が連接されている。幕板５は、パチンコ島台３に開閉自在に取り付けられ、各パチンコ台１１毎に設けられている。表示板７には、各パチンコ台１１毎の呼び出しランプ１３が設けられている。
【００１３】
前記空気消臭装置１，１Ａ，１Ｂ，１Ｃは、後述するが、本実施例では、空気清浄装置として構成され、消臭機能成分を溶解した水溶液に高電圧を掛け、放電現象により消臭機能性成分含有ミストを室内に放出させてたばこの煙を除塵消臭する発生装置が設けられ、前記放出された消臭機能性成分含有ミストを吸着可能な吸着媒体として銅、ステンレスなどの導電性の金属プレート１５が設けられたものである。金属プレート１５には、上面に紙、不織布などで形成されたフィルタ１７が設けられている。フィルタ１７は、さらに下面或いは上下両面に設けることも可能である。金属プレート１５及びフィルタ１７は、パチンコ島台３上に設けられ、特にスペースを必要とせず、無理なく配置することができる。フィルタ１７が汚れても、遊技者からは見えない位置であり、不快感を与えることはない。パチンコ島台３上では、作業者が乗ることもあるが、金属プレート１５の強度を保持させれば、作業上問題はない。
【００１４】
フィルタ１７は、金属プレート１５に粘着剤等により引き剥がし可能に貼付する構成、金属プレート１５上に金網等を装着可能とし、この金網と金属プレート１５とでフィルタ１７を挟持させる構成など、種々選択して取り付けることができる。
【００１５】
前記幕板５に空気消臭装置１，１Ａを取り付ける場合は、１枚の幕板５全体に取り付ける空気消臭装置１、１枚の幕板５に左右分けて取り付ける空気消臭装置１Ａなどがある。幕板５を空気消臭装置１，１Ａのケースとして一体的に利用することも可能である。この場合は、空気消臭装置１，１Ａを幕板５と共に一体に取り扱うことができ、組み付け、修理、交換が容易となる。前記表示板７に取り付ける空気消臭装置１Ｂは、表面に呼び出しランプ１３が取り付けられる。また、空気消臭装置１Ｃはパチンコ島台３の前面側上部に取り付けられている。
【００１６】
図３は、空気消臭装置の吸気口及びミストの放出口を示す正面図、図４は、同断面図である。図３，図４のように、空気消臭装置１（１Ａ，１Ｂ，１Ｃ）は、ケース１９に対し、例えば下部に斜め下方に向いた吸気口２１を備え、上端に上部へ排気する排気口２３を備えている。吸気口２１及び排気口２３には、抗ウイルスなどの空気浄化フィルタ２５，２７が設けられている。上部左右両側にミストの放出口２９を備えている。ケース１９の前面３０は、種々の情報伝達に利用することができ、液晶表示のディスプレイ等によりコマーシャルを行わせることも可能である。
【００１７】
前記空気消臭装置１（１Ａ，１Ｂ，１Ｃ）は、吸気口２１の近傍にシロッコ・ファン３１を備え、該シロッコ・ファン３１の回転により吸気口２１から吸気し、排気口２３から排気する構成となっている。
【００１８】
空気消臭装置１（１Ａ，１Ｂ，１Ｃ）内には、消臭機能成分を溶解した水溶液を収容するカートリッジ３３、タンク３５が設けられている。カートリッジ３３、タンク３５は、何れか一方のみ設ける構成でも良い。カートリッジ３３の消臭機能成分を溶解した水溶液は、カートリッジ３３の交換によりワンタッチで行うことができる。タンク３５の消臭機能成分を溶解した水溶液は、図１，図２のパチンコ島台３の上部側に配索した送液ホース３７により簡単に供給することができる。
【００１９】
図５，図６は、空気消臭装置の消臭機能性成分含有ミストの発生装置及び空気通路を強調して示したものであり、実質的には図３，図４の構造と同一である。
【００２０】
発生装置３９は、ケース１９の上部左右両側に設けられている。発生装置３９は、保水基材４１とピン形状の放出基材４３とミスト・ファン４５とフィルタ４７とを備えている。保水基材４１には、消臭機能成分を溶解した水溶液のタンク４９が連通接続されている。
【００２１】
ケース１９内部の空気通路５１は、中間部５３で通路面積が拡大し、吸い込み側５５及び吐き出し側５７で通路面積が狭くなっている。中間部５３には、消臭機能性成分含有ミストを矢印Ａのように放出させることができるようになっている。
【００２２】
従って、発生装置３９では、ミスト・ファン４５の回転と共にフィルタ４７を介して空気が吸い込まれ、矢印Ｂのように消臭機能性成分含有ミストを放出する（ミストの発生原理は後述する。）。吹き出されたミストは、遊技場内のたばこ粒子に付着し、たばこ粒子がマイナス帯電すると共に除塵、消臭される。前記金属プレート１５は、プラス帯電させるため、前記のようにマイナス帯電したたばこ粒子等がパチンコ島台３上の金属プレート１５に吸着される。
【００２３】
また、シロッコ・ファン３１の回転により吸気口２１からたばこ粒子が吸い込まれ、ケース１９内の中間部５３で流速を低下させつつ矢印Ａのように放出されるミストによりたばこ粒子がマイナス帯電すると共に除塵、消臭され、排気口２３から排気される。排気されたたばこ粒子等は、図２のパチンコ島台３上の金属プレート１５に吸着される。
【００２４】
マイナス帯電したたばこ粒子等が金属プレート１５に吸着されるとき、その表面側の紙などのフィルタがこれを受け止めるため、フィルタ１７の交換により金属プレート１５の吸着作用を長く維持できると共に、メンテナンスが容易である。
【００２５】
一方、空気消臭装置１（１Ａ，１Ｂ，１Ｃ）は、吸気口２１から空気浄化フィルタ２５を介して空気を浄化しながら吸い込み、排気口２３から空気浄化フィルタ２７により再度空気を浄化しながら排気するため、空気清浄機能を的確に奏することができる。
【００２６】
従って、パチンコ遊技場内の臭いの元になるたばこ粒子、埃等を効果的に取り除き、遊技場内の空気浄化、除塵、消臭を的確に行わせることができる。
【００２７】
さらに、前記のように発生装置３９から放出された消臭機能性成分含有ミストは、遊技者の衣服にも降りかかり、衣服に付着したたばこ粒子の消臭をも行う。これらにより、遊技者の衣服にたばこの臭いが定着するのを抑制することができる。
【００２８】
消臭機能性成分含有ミストは、ナノサイズであり衣服に付着しても衣服が濡れることはなく、またパチンコ玉が濡れることもないため、快適なパチンコ遊技を続けることができる。
【００２９】
［発生装置の構成］
図７は、消臭機能性成分含有ミストの発生装置及び金属プレートを備えた構成を示す機能構成図である。
【００３０】
図７のように、発生装置３９は、消臭機能成分を溶解した水溶液に高電圧を掛け、放電現象により消臭機能性成分含有ミストを室内に放出させてたばこの煙を除塵消臭するものであり、不揮発性の消臭機能性成分を含む水溶液を吸水保持する多孔質成型体５９と、該多孔質成型体５９に不揮発性の消臭機能性成分を含む水溶液を供給する給水手段６１と、不揮発性の消臭機能性成分を含む水溶液を保持した多孔質成型体５９を負に帯電させる直流高電圧電源６３と、から概ね構成されている。
【００３１】
多孔質成型体５９は、吸水性および保水性を有し、平板状を呈する多孔質の前記保水基材４１と、該保水基材４１に突設された多孔質の放出基材４３と、から構成されている。これら保水基材４１および放出基材４３は、優れた吸水力および保水力を備えており、セラミックス材料、合成樹脂材料もしくは金属材料の多孔体、または繊維体により形成されている。
【００３２】
多孔体や繊維体の保水基材４１を構成するセラミックス材料としては、シリカ、アルミナ、マグネシア、チタニア、ジルコニアのような単一酸化物、またはムライト、ゼオライト、ベントナイト、セピオライト、アタパルジャイト、シリマナイト、カオリン、セリサイト、珪藻土、長石、蛙目粘土、珪酸塩化合物（パーライト、バーミキュライト、セリサイトなど）が挙げられ、天然繊維材料としては、パルプ繊維、綿、ウール繊維、麻繊維などが挙げられ、合成樹脂材料としては、ポリエステル、ナイロンやレーヨン、ウレタン（ポリウレタンを含む）、アクリル、ポリプロピレンなどが挙げられ、金属材料としては、ステンレス、銅、チタン、スズ、プラチナ、金、銀などが挙げられる。
【００３３】
多孔体や繊維体の形状の他にも、ハニカム構造やコルゲート構造が挙げられ、パイプ状、シート状、プリーツ状なども挙げられるが、必要条件は優れた吸水力および保水力を有するということである。
【００３４】
放出基材４３は、棒状体（スティック体）として形成され、消臭機能性成分を含む水溶液を１〜１００ｎｍ程度の微細なミストとして放出する先端部材であり、保水基材４１の片面に複数本突設されている。このように放出基材４３を棒状体として形成することにより、該放出基材４３から消臭機能性成分を含むミストが放出し易くなり、また、保水基材４１に放出基材４３を複数本突設することにより、消臭機能性成分含有ミストの放出量を増大させることができる。また、放出基材４３の先端部の構造は、フラット面よりもエッジになった構造が好ましいが、先端部が鋭利に尖っている必要はない。また、放出基材４３の先端部の縦断面は、図８（ａ）に示すようなエッジがある四角よりも、図８（ｂ）に示すような丸みを帯びた円もしくは楕円であること（要するに鋭角尖端よりも曲面で形成すること）が好ましく、このように形成することにより、放出するミストに大量の消臭機能性成分を含ませることができる。なお、この放出基材４３の長さや径、本数、および先端形状によって消臭機能性成分含有ミストの放出量が異なり、その詳細については後述する試験例において考察する。
【００３５】
さらに、放出基材４３の保水率は４０〜１３０％程度が好ましく、より好ましくは８０％〜１３０％程度が好ましい。そして、放出基材４３は、保水基材４１よりも高い吸水力を有することが好ましい。これは、保水基材４１に吸水した消臭機能性成分を含む水溶液を該保水基材４１に留まらせることなく、放出基材４３へと供給または溶出させるためである。
【００３６】
放出基材４３としては、セラミックス繊維（セラミックスファイバー、ガラス繊維など）、有機繊維（ポリエステル繊維、レーヨン繊維、ナイロン繊維など）、金属繊維（ステンレス繊維、銅繊維、チタン繊維など）などを棒状体として形成したものが挙げられ、その他、セラミックス粒子や金属粒子を棒状体として焼結させた多孔体や、ウレタン樹脂やスチレン樹脂などの発泡体を棒状体として形成したものが挙げられる。なお、多孔体の場合、独立した微細泡の集合体であるよりも、無数の微細孔が連続しているものであることが、水溶液が通過する上で都合が良い。
【００３７】
セラミックスまたは樹脂、金属等の多孔質構造は、水の吸水特性で放出性能が決定され、特に時間当りの水の吸い上げ量が重要である。これらの性能は、多孔体のもつ時間当りの吸水率で性能が決定され、いずれの素材においてもその吸水率は１０〜２００％程度が適しているが、特に材質別に見れば、セラミックス材料では１０〜８０％が好ましく、樹脂では１００〜２００％が好ましく、金属では１０〜６０％が好ましい。
【００３８】
図９に示すように、放出基材４３を繊維状構造に形成する場合の具体的な構成として、セラミックスでは、セラミックスファイバーと呼ばれるガラス質またはシリカやムライト結晶質の繊維をバインダーを用いて成形したものが挙げられ、合成樹脂では、ポリエステルやナイロン、アクリルなどの繊維があり、短繊維はそれらをバインダーを使って成型し、長繊維はそれらを束ねて任意の太さになるようにしたものを適切な仕様でカットして用いる。これら繊維状構造では、消臭機能性成分を含む水溶液を保水基材４１から毛細管現象により吸い上げることができる。
【００３９】
給水手段６１は、カテキン、ビタミン類などの消臭機能性成分を含む水溶液を収容するとともに、毛細管現象などを利用して、常時、上記保水基材４１に消臭機能性成分を含む水溶液を供給する手段であり、本実施形態では、収容瓶６５と供給チューブ６７とから構成されており、その内部には水量センサ６９が設けられている。
【００４０】
消臭機能性成分としては、カテキン、木酢、竹酢、トウモロコシ抽出成分、ビタミンＣ（Ｌ−アスコルビン酸）、ビタミンＣエステル（Ｌ−アスコルビン酸リン酸マグネシウム、Ｌ−アスコルビン酸リン酸ナトリウム、リン酸アスコルビルマグネシウムなど）、ビタミンＡ、ビタミンＢ、ビタミンＤ、ビタミンＤα−リポ酸、アミノ酸、茶葉抽出物（カテキン、タンニン、サポニン、テアニン、カフェインなど）、ヒアルロン酸、コラーゲン、アロマ精油（ラベンダー、ローズマリー、レモングラス、ティートリー、セージ、クローブ、オレンジ、グレープフルーツ、シナモン、ジャスミンなど）、コーヒー豆、茶葉、ワサビ、ヒノキチオール、キチン、キトサン、プロポリスなどのような有機系可溶性成分が挙げられ、その他、無機物（無機系可溶性成分）では銀または食塩が挙げられる。
【００４１】
ここで「消臭機能性」とは、室内のたばこの煙を除塵消臭することを意味する。
【００４２】
直流高電圧電源６３は、例えば、１０ｋＶ程度のＤＣマイナス電圧を発生させる電源であり、その負極が導線７１を介して上記保水基材４１に接続され、消臭機能性成分を含む水溶液を保持する保水基材４１を負に帯電させている。ＤＣ電源の陽極は、導線７３により前記金属プレート１５に接続され、金属プレート１５を正に帯電させている。前記直流高電圧電源６３の負極を保水基材４１に接続することにより、電流は最も放電しやすい場所を求めて流れ、通常、先端が尖っている場所や金属など通電性に優れた場所に集まる性質を利用して、放出基材４３へと集まることになる。
【００４３】
消臭機能性成分含有ミストの発生方法は、前記構成の発生装置３９を用いて行われ、保水基材４１に給水手段６１から不揮発性の消臭機能性成分を含む水溶液を供給し、不揮発性の消臭機能性成分を含む水溶液を保持した保水基材４１に直流高電圧電源６３の負極を接続して負に帯電させるものである。このように不揮発性の消臭機能性成分を含む水溶液を保持した保水基材４１を負に帯電させると、上記保水基材４１に突設された複数本の放出基材４３の先端部まで電流が流れて自然放電現象が起こり、その放電作用でイオン風が発生し、このイオン風を利用してビタミン類等の消臭機能性成分をナノサイズ（１〜１００ｎｍ程度）の目に見えない微細なミストとともに大量に放出させることができる。
【００４４】
多孔質成型体５９は、セラミックス材料、合成樹脂材料、金属材料の１種類または２種類以上を複合化させて構成されており、放出基材４３から放出される消臭機能性成分含有ミストの粒子は、多孔質成型体５９の電気伝導度あるいは電圧に左右され、およそ１〜１００ｎｍ程度の粒子ミストになっているので、風を利用して室内の隅々まで飛散させることができる。また、放出基材４３は運転中は常に湿潤状態であり、上述したように、放出基材４３を構成する多孔質材料の保水量、放出基材４３の長さおよび径や先端形状、本数または形状により、消臭機能性成分を放出する性能が異なる。
【００４５】
次に、消臭機能性成分の長期的な効果が得られる第２の実施形態として、保水基材４１と放出基材４３とからなる多孔質成型体５９に、不揮発性の消臭機能性成分を担持させてもよい。具体的には、放出基材４３の特性と同様に吸水力および保水力に優れた保水基材４１に、無機または有機化合物のバインダーを用いて消臭機能性成分を含浸させたり、或いは添着させる。多孔体や繊維体から成る保水基材４１に無機または有機化合物のバインダーで機能性成分を固定させると、放出基材４３への消臭機能性成分の供給量または溶出量、吸い上げ速度を制御することができ、消臭機能性成分の放出速度または放出量が制御可能となり、長期的な寿命が期待できる。
【００４６】
固定する担持物の多孔体もしくは繊維体は、吸水力および保水力に優れていることが必要であり、特に多孔体の場合にはポーラス構造が連孔であることが重要である。素材としては、セラミックス繊維（セラミックスファイバー、ガラス繊維など）や有機繊維（ポリエステル繊維、レーヨン繊維、ナイロン繊維など）、金属繊維（ステンレス繊維、銅繊維、チタン繊維など）などをシート状またはブロック状に成形したものが挙げられ、その他、セラミックス粒子や金属粒子を焼結させた多孔質体やウレタン樹脂やスチレン樹脂などの発泡体が挙げられる。
【００４７】
保水基材４１に消臭機能性成分を担持（固定）するバインダーとして、無機化合物では、珪酸リチウムや珪酸カリウム、珪酸ナトリウム、珪酸ジルコニウム珪酸カルシウム、珪酸アルミニウム、エチルシリケート、シリカゾル、オルガノシリケートなどのケイ酸塩、あるいは、燐酸、ポリ燐酸、ウルトラポリ燐酸、燐酸アルミニウム、燐酸カルシウム、燐酸マグネシウムなどの燐酸塩などが挙げられ、有機化合物では、メチルセルロースやカルボキシルメチルセルロース、ポリビニルアルコール、ウレタンエマルション、アクリルエマルション、酢酸ビニルエマルションなどが挙げられる。
【００４８】
多孔体または繊維体の保水基材４１への消臭機能性成分の含浸、付着は、無機または有機化合物のバインダー水溶液に消臭機能性成分の１種類もしくは２種類以上を配合したものを溶解し、この水溶液に保水基材４１を接触させて乾燥させることにより行う。
【００４９】
消臭機能性成分を担持した保水基材４１は、本実施形態においては、消臭機能性成分が溶出した水溶液を放出基材４３に供給するために設ける消臭機能性成分ストックヤードとして機能するものであり、保水基材４１に求められる特性は、第１に水溶液の保水量であり、第２に機能性成分が溶出した水溶液を長期に渡って供給できる構造である。すなわち、無機または有機化合物のバインダーを利用して水に消臭機能性成分を徐々に溶出させてゆくことができれば、放出基材４３への長期的な消臭機能性成分の供給が可能となる。
【００５０】
このように消臭機能性成分を担持（固定）した保水基材４１に給水手段６１から水を供給し、保水状態の保水基材４１に直流高電圧電源６３の負極を接続して負に帯電させると、上記保水基材４１に突設された複数本の放出基材４３の先端部まで電流が流れて自然放電現象が起こり、その放電作用でイオン風が発生し、このイオン風により、保水基材４１に固定された消臭機能性成分は放出基材４３まで水溶液として移動しながら、ナノサイズ（１〜１００ｎｍ程度）の目に見えない微細なミストとともに大量に放出される。そして、使用する用途に応じて、放出基材４３の材質選択や、放出基材４３の長さおよび径や先端形状、本数を適宜設計することにより、消臭機能性成分を含むミスト放出量を任意に設計することができる。
【００５１】
上記消臭機能性成分を含んだミストは、その粒子径が１〜１００ｎｍ程度のナノサイズであり、壁面などが濡れない程度の極めて微細な状態にあるので、ファン等の風を利用することにより、遊技場内、車内の隅々まで行き渡らせることができる。
【００５２】
〔試験例１〕
試験例１は、消臭機能性成分を含むミスト（以下、「消臭ミスト」という。）の放出コントロールを可能にする目的で、放出基材の保水量の影響について評価したものである。
【００５３】
（試験装置）
図１０に示すように、試験装置としては、一辺が１ｍの中空立方体状のアクリル製容器８１（１ｍ３）の床上に、評価用の発生部８３を設置し、この発生部８３の放出基材を漏斗状のガラス製容器８５で覆い、放出された消臭ミストを直接吸引して、真空ポンプ８７で真空引きした容器８９内の純水にバブリングさせて溶解させる評価システムを用いた。また、アクリル製容器８１は、予め２５℃−５５％ＲＨに保持された室内に設置しておいた。図１０において、９１は保水基材、９３は放出基材、９５は吸い上げチューブ、９７は直流高電圧電源である。試作した放出基材の長さは３０ｍｍで、太さ（径）は２．０ｍｍφであり、下記表１には試作した放出基材の材質と重量％を示している。
【００５４】
【表１】
0005219061.tif 000002
【００５５】
（試験条件）
試験条件は、測定環境が気温２５℃、湿度５５％、放出基材の材質がポリエステル繊維と多孔質アルミナ、放出基材の本数が２４本、ＤＣマイナス電圧が１０ｋＶ、運転時間が６時間であり、ビタミン放出量測定機として日立製の分光光度計Ｕ−３０１０を用いた。
【００５６】
（試験内容）
消臭ミストの放出試験方法は、発生部には、ナノサイズのミストを放出する基材として多孔質の放出基材が複数本突設されているが、放出基材の保水量、すなわち保水率を変えた場合に、放出基材から放出される消臭ミストの時間当たりの放出量への影響について、放出基材の本数および先端形状、マイナス電圧を一定として、ミスト放出量を比較分析した。即ち、図１０に示すように、アクリル製容器８１内における密閉空間に、発生部８３と真空ポンプ８７、容器８９内に収容した純水などを準備し、発生部８３から放出された消臭ミストをダイレクトに純水にバブリングさせ、純水に溶解した時間当たりのビタミン濃度を定量分析し、放出基材９３の保水量による時間当たりのビタミン放出量を比較し、放出基材９３の保水量を変えた仕様の試作基材を複数本準備し、保水量の異なる各試作基材における消臭ミスト放出能力を比較検証した。なお、本評価は、１％のビタミン水溶液を用い、時間当たりの消臭ミスト放出量を測定した。
【００５７】
（消臭機能成分放出濃度の分析方法）
図１１に示すように、このようにして放出試験をした消臭ミストをバブリングして溶解させた純水のＤＰＰＨラジカル還元量の数値からビタミン成分であるアスコルビン酸濃度を求めた。分析方法はＤＰＰＨ溶液にアスコルビン酸が溶解すると、その濃度によりＤＰＰＨラジカルが消去される性質（抗酸化作用）を利用して、アスコルビン酸の含有濃度を分光光度計を使って定量分析する方法である。
【００５８】
ＤＰＰＨを（和光純薬製：１，１−ジフェニル−２−ピクリルヒドラジル）０．１２５ｍｍｏｌ／・エタノ−ル溶液に調製したものを５ｃｃ三角フラスコに入れ、それを３０℃の恒温振とう水槽に入れる。まず、ＤＰＰＨエタノ−ル溶液のピークを測定し、サンプル１ｃｃを入れる。サンプルに抗酸化性があれば、ＤＰＰＨエタノ−ル溶液のラジカルが減少し、紫色から黄色に溶液が変色する。そのときのピークをＤＰＰＨエタノ−ル溶液のピークから引いた値が、抗酸化力を示す値となる。
【００５９】
（試験結果）
下記表２は、ポリエステル繊維からなる各試作基材の測定結果を示しており、図１２は、この測定結果に基づいて、ポリエステル基材の保水率によるビタミン放出性能への影響を示した説明図である。
【００６０】
【表２】
0005219061.tif 000003
【００６１】
また、下記表３は、セラミックス多孔体（多孔質アルミナ）からなる各試作基材の測定結果を示しており、図１３は、この測定結果に基づいて、セラミックス多孔体基材の保水率によるビタミン放出性能への影響を示した説明図である。
【００６２】
【表３】
0005219061.tif 000004
【００６３】
本試験例によれば、図１２および図１３に示すように、放出基材の保水量（保水率）の影響は、低保水量では思うように消臭ミストが発生し難く、保水量８０〜１００％程度で最も多い発生量が得られる。しかし、更に保水量が多くなり過飽和になるにつれて、急速にビタミン発生量は低下するという傾向を確認することができた。放出基材の放出性能は、材質よりもその保水量に依存し、保水率は４０〜１３０％の範囲、好ましくは８０〜１００％の範囲であることが消臭ミストを最も多く放出できる条件であると考えられる。
【００６４】
〔試験例２〕
試験例２は、消臭機能性成分を含むミスト（以下、「消臭ミスト」という。）の放出コントロールを可能にする目的で、放出基材の長さと径（太さ）の影響について評価したものである。
【００６５】
（試験装置）
試験装置としては、試験例１と同様に図１０に示した評価システムを用いた。また、アクリル製容器８１は、予め２５℃−５５％ＲＨに保持された室内に設置しておいた。下記表４は、試作した放出基材の長さ／径を示している。
【００６６】
【表４】
0005219061.tif 000005
【００６７】
（試験条件）
試験条件は、測定環境が気温２５℃、湿度５５％、放出基材の材質がポリエステル繊維、放出基材の本数が２４本、ＤＣマイナス電圧が１０ｋＶ、運転時間が６時間であり、ビタミン放出量測定機として日立製の分光光度計Ｕ−３０１０を用いた。
【００６８】
（試験内容）
消臭ミストの放出試験方法は、発生部には、ナノサイズのミストを放出する基材として多孔質の放出基材が複数本突設されているが、放出基材の長さまたは径を変えた場合に、放出基材から放出される消臭ミストの時間当たりの放出量への影響について、放出基材の本数および先端形状、マイナス電圧を一定として、ミスト放出量を比較分析した。即ち、図１０に示すように、アクリル製容器８１内における密閉空間に、発生部８３と真空ポンプ８７、容器８９に収容した純水などを準備し、発生部８３から放出された消臭ミストをダイレクトに純水にバブリングさせ、純水に溶解した時間当たりのビタミン濃度を定量分析し、放出基材の長さまたは径による時間当たりのビタミン放出量を比較し、放出基材の長さまたは径を変えた場合の消臭ミスト放出能力を比較検証した。なお、本評価は、１％のビタミン水溶液を用い、時間当たりの消臭ミスト放出量を測定した。
【００６９】
（消臭機能成分放出濃度の分析方法）
消臭機能成分放出濃度の分析方法は、試験例１と同様に、アスコルビン酸の含有濃度を分光光度計を使って定量分析する方法を採った。
【００７０】
（試験結果）
下記表５に各試作基材の測定結果を示しており、図１４は、この測定結果に基づいて、放出基材の長さ／太さによる放出量への影響を示した説明図である。
【００７１】
【表５】
0005219061.tif 000006
【００７２】
本試験例によれば、図１４に示すように、放出基材の長さおよび太さ（径）の影響は、長さが長くなるほど消臭ミストの放出量が多いという傾向を確認することができた。また、長さが同じ場合には、放出基材の太さが太くなるほど消臭ミストの放出量が減少するという傾向を確認することができた。
【００７３】
さらに、消臭ミストの放出量を多くする適正条件は、放出基材の長さが長く、太さ（径）は１〜２ｍｍ程度が好ましいと判断される。また、放出基材の長さは、２０ｍｍを超えると放出量が安定してくる傾向があり、１５ｍｍ程度を下回ると急激に減少すると考えられる。
【００７４】
〔試験例３〕
試験例３は、消臭機能性成分を含むミスト（以下、「消臭ミスト」という。）の放出コントロールを可能にする目的で、放出基材の先端部の形状（先端形状）の影響について評価したものである。
【００７５】
（試験装置）
試験装置としては、試験例１および試験例２と同様に図１０に示した評価システムを用いた。また、アクリル製容器８１は、予め２５℃−５５％ＲＨに保持された室内に設置しておいた。図１５は、試作した放出基材の先端形状を示している。
【００７６】
（試験条件）
試験条件は、試験例２と同様であり、消臭機能成分放出量測定機として日立製の分光光度計Ｕ−３０１０を用いた。
【００７７】
（試験内容）
消臭ミストの放出試験方法は、発生部には、ナノサイズのミストを放出する基材として多孔質の放出基材が複数本突設されているが、放出基材の先端形状を変えた場合に、放出基材から放出される消臭ミストの時間当たりの放出量への影響について、放出基材の本数およびマイナス電圧を一定として、ミスト放出量を比較分析した。即ち、図１０に示すように、アクリル製容器８１内における密閉空間に、発生部８３と真空ポンプ８７、容器８９に収容した純水などを準備し、発生部８３から放出された消臭ミストをダイレクトに純水にバブリングさせ、純水に溶解した時間当たりのビタミン濃度を定量分析し、放出基材の先端形状による時間当たりのビタミン放出量を比較し、放出基材の先端形状を変えた場合の消臭ミスト放出能力を比較検証した。なお、本評価は、１％のビタミン水溶液を用い、時間当たりのビタミンミスト放出量を測定した。
【００７８】
（消臭機能成分放出濃度の分析方法）
消臭機能成分放出濃度の分析方法は、試験例１および試験例２と同様に、アスコルビン酸の含有濃度を分光光度計を使って定量分析する方法で行った。
【００７９】
（試験結果）
下記表６に各試作基材の測定結果を示しており、図１６は、この測定結果に基づいて、放出基材の先端形状による消臭ミスト放出量への影響を示した説明図である。
【００８０】
【表６】
0005219061.tif 000007
【００８１】
本試験例によれば、図１６に示すように、放出基材の先端形状は、あまりに鋭利に尖っている試作基材(１)の超鋭利形状や、試作基材(５)のフラット形状は、通電時間が経過してもアスコルビン酸濃度が高まり難い形状であると判断される。放出基材の先端形状は、試作基材(３)や(４)の丸みを帯びた形状が消臭機能性成分を含んだミストを放出するのに適していると考えられる。
【００８２】
〔試験例４〕
試験例４は、消臭ミストの発生装置が、加湿器では十分対応ができなかった室内の調湿コントロールを可能にすることを確認する目的で、消臭ミストの発生装置による調湿試験データを提供するものである。
【００８３】
（試験装置）
図１７に示すように、試験装置としては、一辺が１ｍの中空立方体状のアクリル製容器１０１（１ｍ３）の上部に、評価用の発生部１０３を取り付け、アクリル製容器１０１の床上にはエアーファン（軸流ファン）１０５および湿度データーローガー１０７を設置した評価システムを用いた。また、アクリル製容器１０１は、予め２５℃−５５％ＲＨに保持された室内に設置しておいた。このような試験装置を用いて、放出基材（ピン）の本数またはマイナス電圧の違いによる消臭ミスト放出量の影響について試験した。
【００８４】
（試験条件）
試験条件は、測定環境が気温２５℃、湿度５５％、放出基材の本数が２４本、１８本、１２本、６本、ＤＣマイナス電圧が１０ｋＶと５ｋＶ、運転時間が６時間であり、湿度測定機としてデジタル式湿度データーローガーを用いた。
【００８５】
（試験内容）
消臭ミストの放出試験方法は、発生部には、ナノサイズのミストを放出する基材として多孔質の放出基材が複数本突設されているが、放出基材の本数を変えた場合、またはＤＣ電源から発生させるマイナス電圧を変えた場合に、放出基材から放出される消臭ミストの放出量への影響について、アクリル製容器１０１内における密閉空間での湿度変化を測定し、諸条件における調湿効果を比較検証した。なお、本評価は、５％のビタミン水溶液を用い、アクリル製容器１０１内における密閉空間での湿度変化を測定した。
【００８６】
（試験結果）
下記表７に各試作基材の測定結果を示しており、図１８は、この測定結果に基づいて、３０分毎のクリアミスト放出による湿度の推移を示した説明図である。
【００８７】
【表７】
0005219061.tif 000008
【００８８】
本試験例によれば、図１８に示すように、消臭ミストの放出基材（ピン）の本数は、放出する消臭ミストに大きく影響していることが判る。また、放出基材の本数が同一の場合、負荷される電圧により消臭ミストの放出量は影響し、放出基材の本数が多くなるにつれて、電圧差による消臭ミストの放出量の差が大きくなる傾向が見られた。さらに、放出基材の本数は、運転時間とともにクリアミスト放出量の差が大きくなる傾向が見られた。特に６本では、電圧差による影響がほとんど見られず、ある程度の本数の放出基材が必要と判断される。上記試験例１から試験例３で説明したように、その他に放出基材の保水量、放出基材の長さや太さ（径）、先端形状などにより消臭ミストの放出量が影響し、調湿効果も異なると思われる。このように放出させる消臭ミストの放出量は、いくつかの条件設定にてコントロール可能であると思われる。
【００８９】
〔試験例５〕
試験例５は、発生部を空気清浄機、または加湿器に適用する場合の室内環境の改善効果を検証したものである。
【００９０】
これらの機器に応用する場合の装置構成としては、図１９に示すように、空気清浄機、または加湿器などの吹き出し口等に発生部１１１を取り付け、保水基材１１３に突設する放出基材１１５に給水手段１１７から水またはビタミン水溶液を供給し、直流高電圧電源１１９の負極を保水基材１１３に接続して、保水状態の保水基材１１３を負に帯電させるものが考えられる。
【００９１】
（試験内容）
１ｍ３の立方体をした密閉容器内に吸引式タバコ煙発生装置で５本のタバコ（マイルドセブン）の煙を満たし、アンモニアガス専用のガス検知管（ガステック社製）を用いて、ドライミスト連続運転における残留アンモニア濃度を３０分後、６０分後に計測した。タバコが全部燃え切った時点を初期濃度とし、ドライミストのスイッチをオンにした。
【００９２】
３０分後、６０分後の各臭気成分の消臭率の算出方法は、次式により求めた。
【００９３】
消臭率（％）  η３０＝（１−Ｃ３０／Ｃ０）×１００
η６０＝（１−Ｃ６０／Ｃ０）×１００
（試験結果）
下記表８は、ドライミスト−１０ｋＶの場合、ドライミスト−１０ｋＶおよび消臭剤の場合、ドライミスト−５ｋＶの場合、空運転した場合おける３０分後、６０分後のアンモニア濃度の測定結果を示すものであり、図２０は、この測定結果に基づいて、アンモニア濃度の時間変化を示す説明図である。
【００９４】
【表８】
0005219061.tif 000009
【００９５】
本試験例によれば、図２０に示すように、いずれの場合も時間が経過するにつれてアンモニア濃度が低下してきており、ドライミスト−１０ｋＶの場合とドライミスト−１０ｋＶおよび消臭剤の場合がアンモニア消臭効果が高いことが判る。
【００９６】
〔試験例６〕
試験例６は、発生部を空気清浄機に適用した場合の室内環境の改善効果を検証
したものである。
【００９７】
まず、下記表９は、室内においてミストを発生させた場合、ナノｅマイナスイオンを発生させた場合、空運転した場合の３０分後、６０分後のホルムアルデヒド消臭性能の測定結果を示すものであり、図２１は、この測定結果に基づいて、ホルムアルデヒドの消臭速度の比較を示す説明図である。
【００９８】
【表９】
0005219061.tif 000010
【００９９】
図２１に示すように、いずれの場合でも時間経過によりホルムアルデヒド消臭率は高くなるが、ミストを発生させた場合が他の場合に比べてホルムアルデヒド消臭効果が高いことが判る。
【０１００】
次に、下記表１０は、室内においてミストを発生させた場合、ナノｅマイナスイオンを発生させた場合、空運転した場合の３０分後、６０分後のアンモニア消臭性能の測定結果を示すものであり、図２２は、この測定結果に基づいて、アンモニアの消臭速度の比較を示す説明図である。
【０１０１】
【表１０】
0005219061.tif 000011
【０１０２】
図２２に示すように、いずれの場合でも時間経過によりアンモニア消臭率は高くなるが、ミストを発生させた場合が他の場合に比べてアンモニア消臭効果が高いことが判る。
【０１０３】
また、下記表１１は、タバコ粉塵を自然減衰させた場合、静電フィルターにより除去した場合、ミストを発生させた場合、ナノｅマイナスイオンを発生させた場合の１０分後、２０分後、３０分後、４０分後のタバコ粉塵濃度の測定結果を示すものであり、図２３は、この測定結果に基づいて、タバコ粉塵濃度の比較を示す説明図である。
【０１０４】
【表１１】
0005219061.tif 000012
【０１０５】
図２３に示すように、いずれの場合でも時間経過によりタバコ粉塵濃度は徐々に低下するが、消臭ミストを発生させた場合が他の場合に比べてタバコ粉塵濃度を急激に低下させることが判る。
【０１０６】
さらに、下記表１２は、ミストを発生させた場合、ナノｅマイナスイオンを発生させた場合、空運転をした場合の３０分後、６０分後のタバコ消臭性能の測定結果を示すものであり、図２４は、この測定結果に基づいて、タバコ消臭速度の比較を示す説明図である。
【０１０７】
【表１２】
0005219061.tif 000013
【０１０８】
図２４に示すように、いずれの場合でも時間経過によりタバコ消臭率は高くなるが、消臭ミストを発生させた場合が他の場合に比べてタバコ消臭効果が高いことが判る。
【０１０９】
［実施例１の効果］
本発明実施例１の空気消臭装置１，１Ａ，１Ｂ，１Ｃは、消臭機能成分を溶解した水溶液に高電圧を掛け、放電現象により消臭機能性成分含有ミストを室内に放出させてたばこの煙を除塵消臭する発生装置３９を設け、前記放出された消臭機能性成分含有ミストを吸着可能な金属プレート１５を設けたため、ナノサイズの消臭機能性成分含有ミストが空気中のたばこの煙等の除塵消臭を行うと共に、除塵消臭したミストが金属プレート１５に吸着され、衣服にたばこの臭い等が定着するのを抑制することができる。
【０１１０】
前記金属プレート１５は、フィルタ１７を備えたため、金属プレート１５の吸着機能を長く維持させることができ、フィルタの交換により、メンテナンスも容易である。
【０１１１】
前記発生装置３９は、パチンコ島台３が設置された遊技場に配置され、前記金属プレート１５は、前記パチンコ島台３の上端部に設けたため、特にスペースを必要とせず、無理なく配置することができる。フィルタ１７が汚れても、遊技者からは見えない位置であり、不快感を与えることはない。
【０１１２】
前記発生装置３９は、ケース１９に設けられ、前記ケース１９に、吸気口２１及び排気口２３と吸気口２１から空気を吸い込んで排気口２３から排気させるファン３１と吸い込んだ空気を浄化して排気するための空気浄化フィルタ２５，２７とを備えたため、空気清浄を行いながら空気消臭を行わせることができる。
【０１１３】
前記発生装置３９は、遊技場に設置されたパチンコ島台３の幕板５、パチンコ島台３の呼び出しランプ取付箇所、パチンコ島台３の上端の何れかに設けたため、特にスペースを必要とすることなく、無理なく配置することができる。
【０１１４】
前記消臭機能性成分が、カテキン、木酢、竹酢、トウモロコシ抽出成分、ビタミン類、ビタミン誘導体、カテキン、ヒアルロン酸、アミノ酸、コラーゲンのような有機系可溶性成分、あるいは、銀または食塩のような無機系可溶性成分のうちの１種類もしくは２種類以上であるため、確実に消臭することができる。
【０１１５】
前記発生装置３９は、多孔質の保水基材４１に多孔質の放出基材４３を突設して吸水性および保水性を有する多孔質成型体５９と、前記保水基材４１に不揮発性の前記消臭機能性成分を含む水溶液を保水させる給水手段６１と、前記多孔質成型体５９に負極が接続され不揮発性の前記消臭機能性成分を含む水溶液を保持した前記多孔質成型体５９を負に帯電させる直流高電圧電源６３とを備えたため、ナノサイズの消臭機能性成分含有ミストを室内に確実に放出させることができる。
【実施例２】
【０１１６】
図２５は、ミストの発生装置のみからなる空気消臭装置の配置を示すパチンコ島台の斜視図、図２６は、吸着媒体の配置を示す概略断面図である。
【０１１７】
本実施例では、パチンコ島台３の上部、幕板５、幅板スペース１２３、呼び出しランプ１３、パチンコ台１１上の中央一部、パチンコ台１１上幅方向全体、パチンコ台１１上左右少なくとも一方、パチンコ台１１下左右少なくとも一方、パチンコ台１１上限中間左右少なくとも一方、幕板全体、玉皿、足下面などに、消臭機能性成分含有ミストの発生装置のみからなる空気消臭装置１２１，１２１Ｂ，１２１Ｃ，１２１Ｄ，１２１Ｅ，１２１Ｆ，１２１Ｇ，１２１Ｈ、１２１Ｉ，１２１Ｊ，１２１Ｋ，１２１Ｌを取り付けた。
【０１１８】
金属プレート１５及びフィルタ１７は、パチンコ島台３上にあり、前記のようにマイナス帯電したたばこ粒子等を吸着することができる。  
【実施例３】
【０１１９】
図２７は、空気消臭装置の配置を示すパチンコ島台の断面図である。基本的な構成は実施例１と同様である。
【０１２０】
左側の空気消臭装置１２５は、幕板５一体型であり、幕板５がケース１９を構成している。
【０１２１】
右側の空気消臭装置１２７は、幕板５一体型であり且つ幕板５の一部が回動自在に取り付けられて島ラック５Ａとなり、島ラック５Ａを水平位置へ回動させると、荷物置きとして利用することができる。
【実施例４】
【０１２２】
図２８は、空気消臭装置と吸着媒体との配置関係を示す平面図、図２９は、同要部断面図である。基本的な構成は実施例１と同様である。
【０１２３】
空気消臭装置１２９の排気口２３は、パチンコ島台３上左右に位置し、左右排気口２３間に金属プレート１５及びフィルタ１７が配置されている。フィルタ１７は、金属プレート１５の両面に配置され、パチンコ島台３と金属プレート１５との間は、空気通路１３１となっている。
【０１２４】
従って、マイナス帯電したたばこ粒子を含んだ排気は、排気口２３から排出されると直接空気通路１３１に直ちに流れることが可能であり、たばこ粒子等を金属プレート１５に効率よく確実に吸着させることができる。
【実施例５】
【０１２５】
図３０は、空気消臭装置の配置を示すパチンコ島台の断面図である。
【０１２６】
左側の空気消臭装置１３３は、実施例１と同様な構造である。右側の空気消臭装置１３５は、発生装置３９を別体構成とし、パチンコ島台３上に取り付けたものである。
【実施例６】
【０１２７】
図３１は、空気消臭装置の配置を示すパチンコ島台の断面図である。
【０１２８】
空気消臭装置１３７は、本体１３９とミストの発生装置３９とが別体構成であり、本体１３９が、呼び出しランプ１３一体型で設けられ、発生装置３９は、パチンコ島台３上部、或いは膜板５に取り付けられたものである。
【０１２９】
なお、上記した実施例は全ての点で例示であって制限的なものではないと考えられるべきである。本発明は、上記した説明に限らず特許請求の範囲によって示され、特許請求の範囲と均等の意味及び範囲内での全ての変更が含まれるものである。
【０１３０】
ミストの発生装置を空気消臭装置本体と別体に配置する場合、保水基材４１及び放出基材４３の発生部をその他の部材であるタンク４９等から離して配置することができる。
【０１３１】
遊技機島台としては、スロットル島台にも同用に適用することもでき、遊技機としては、スロットル台などに適用することもできる。
【０１３２】
前記発生装置１，１Ａ，１Ｂ，１Ｃ，１２１，１２１Ａ，１２１Ｂ，１２１Ｃ，１２１Ｄ，１２１Ｅ，１２１Ｆ，１２１Ｇ，１２１Ｈ，１２１Ｉ，１２５，１２７，１２９，１３３，１３５、１３７は、吸着媒体とは別に関連なく遊技場に設置されたパチンコ島台３の上部、幕板５、幅板スペース１２３、呼び出しランプ１３、パチンコ台１１上の中央一部、パチンコ台１１上幅方向全体、パチンコ台１１上左右少なくとも一方、パチンコ台１１下左右少なくとも一方、パチンコ台１１上限中間左右少なくとも一方、幕板全体、玉皿、足下面などの何れかに設けることができる。
【０１３３】
発生装置１，１Ａ，１Ｂ，１Ｃ，１２１，１２１Ａ，１２１Ｂ，１２１Ｃ，１２１Ｄ，１２１Ｅ，１２１Ｆ，１２１Ｇ，１２１Ｈ，１２１Ｉ，１２１Ｊ，１２１Ｋ，１２１Ｌ，１２５，１２７，１２９，１３３，１３５、１３７は、ミストの発生部として多孔質成型体のみ遊技場に設置されたパチンコ島台３の上部、幕板５、幅板スペース１２３、呼び出しランプ１３、パチンコ台１１上の中央一部、パチンコ台１１上幅方向全体、パチンコ台１１上左右少なくとも一方、パチンコ台１１下左右少なくとも一方、パチンコ台１１上限中間左右少なくとも一方、幕板全体、玉皿、足下面などの何れかに設け、その他の部材である給水手段等は遊技機島台内等に分けて配置することもできる。
【０１３４】
発生装置或いは多孔質成型体を遊技場に設置されたパチンコ島台３の上部、幕板５、幅板スペース１２３、呼び出しランプ１３、パチンコ台１１上の中央一部、パチンコ台１１上幅方向全体、パチンコ台１１上左右少なくとも一方、パチンコ台１１下左右少なくとも一方、パチンコ台１１上限中間左右少なくとも一方、幕板全体、玉皿、足下面などに設けることで、遊技場全体及び遊技者全体に均一にミストを行き渡らせることができ、たばこ等の臭いの環境が極めて悪くなる傾向の遊技場の確実な消臭を行わせることができる。しかも、隣同士の遊技者のたばこの煙が相互間に行き渡る前に消臭することも可能であり、空気環境を確実に改善することができる。
【０１３５】
吸気口、排気口、及びファンを備えた空気清浄装置として遊技場に設置されたパチンコ島台３の上部、幕板５、幅板スペース１２３、呼び出しランプ１３、パチンコ台１１上の中央一部、パチンコ台１１上幅方向全体、パチンコ台１１上左右少なくとも一方、パチンコ台１１下左右少なくとも一方、パチンコ台１１上限中間左右少なくとも一方、幕板全体、玉皿、足下面などに設けると、隣同士の遊技者のたばこの煙を吸引することができ、隣同士のたばこの煙害を防止することも可能である。
【図面の簡単な説明】
【０１３６】
【図１】パチンコ島台の斜視図である（実施例１）。
【図２】パチンコ島台の側面図である（実施例２）。
【図３】空気消臭装置の吸気口及びミストの放出口を示す正面図である（実施例３）。
【図４】空気消臭装置の吸気口及びミストの放出口を示す断面図である（実施例１）。
【図５】空気消臭装置の消臭機能性成分含有ミストの発生装置及び空気通路を強調して示した概略図である（実施例１）。
【図６】空気消臭装置の消臭機能性成分含有ミストの発生装置及び空気通路を強調して示した概略図である（実施例１）。
【図７】消臭機能性成分含有ミストの発生装置及び金属プレート備えた消臭装置を示す概略図である（実施例１）。
【図８】放出基材の先端部の形状を示す概略図である（実施例１）。
【図９】放出基材を繊維状構造に形成する場合の具体的構成を示す概略図である（実施例１）。
【図１０】消臭ミスト放出の評価システムを示す概略図である（実施例１）。
【図１１】アスコルビン酸の含有濃度を分光光度計を使って定量分析する方法を示す概念図である（実施例１）。
【図１２】ポリエステル基材の保水率によるビタミン放出性能への影響を示した説明図である（実施例１）。
【図１３】セラミックス多孔体基材の保水率によるビタミン放出性能への影響を示した説明図である（実施例１）。
【図１４】放出基材の長さ／太さによる放出量への影響を示した説明図である（実施例１）。
【図１５】試作した各放出基材の先端形状を示す概略図である（実施例１）。
【図１６】放出基材の先端形状による消臭ミスト放出量への影響を示した説明図である（実施例１）。
【図１７】調湿試験の試験装置を示す概略図である（実施例１）。
【図１８】３０分毎のクリアミスト放出による湿度の推移を示した説明図である（実施例１）。
【図１９】発生部を空気消臭装置、または加湿器に応用する場合の装置構成を示す概略図である（実施例１）。
【図２０】アンモニア濃度の時間変化を示す説明図である（実施例１）。
【図２１】ホルムアルデヒドの消臭速度の比較を示す説明図である（実施例１）。
【図２２】アンモニアの消臭速度の比較を示す説明図である（実施例１）。
【図２３】タバコ粉塵濃度の比較を示す説明図である（実施例１）。
【図２４】タバコ消臭速度の比較を示す説明図である（実施例１）。
【図２５】パチンコ島台の概略斜視図である（実施例２）。
【図２６】パチンコ島台の概略断面図である（実施例２）。
【図２７】パチンコ島台の概略断面図である（実施例３）。
【図２８】空気消臭装置と吸着媒体との配置関係を示す概略平面図である（実施例４）。
【図２９】空気消臭装置と吸着媒体との配置関係を示す要部概略断面図であ    る（実施例４）。
【図３０】空気消臭装置の配置を示すパチンコ島台の概略断面図である（実施例５）。
【図３１】空気消臭装置の配置を示すパチンコ島台の概略断面図である（実施例６）。
【符号の説明】
【０１３７】
１，１Ａ，１Ｂ，１Ｃ，１２１，１２１Ａ，１２１Ｂ，１２１Ｃ，１２１Ｄ， １２１Ｅ，１２１Ｆ，１２１Ｇ，１２１Ｈ，１２１Ｉ，１２５，１２７，１２ ９，１３３，１３５、１３７ 消臭機能性成分含有ミストの発生装置
３ パチンコ島台
５ 幕板
５Ａ 島ラック
７ 表示板
１１ パチンコ台
１３ 呼び出しランプ
１５ 金属プレート（吸着媒体）
１７ フィルタ
１９ ケース
２１ 吸気口
２３ 排気口
３１ シロッコ・ファン（ファン）
３９ ミストの発生装置
４１ 保水基材
４３ 放出基材
５９ 多孔質成型体
６１ 給水手段
６３ 直流高電圧電源
８３ 発生部
９１ 保水基材
９３ 放出基材
９７ 直流高電圧電源
１０３ 発生部
１１１ 発生部
１１３ 保水基材
１１５ 放出基材
１１７ 給水手段
【図１】
0005219061.tif 000014
【図２】
0005219061.tif 000015
【図３】
0005219061.tif 000016
【図４】
0005219061.tif 000017
【図５】
0005219061.tif 000018
【図６】
0005219061.tif 000019
【図７】
0005219061.tif 000020
【図８】
0005219061.tif 000021
【図９】
0005219061.tif 000022
【図１０】
0005219061.tif 000023
【図１１】
0005219061.tif 000024
【図１２】
0005219061.tif 000025
【図１３】
0005219061.tif 000026
【図１４】
0005219061.tif 000027
【図１５】
0005219061.tif 000028
【図１６】
0005219061.tif 000029
【図１７】
0005219061.tif 000030
【図１８】
0005219061.tif 000031
【図１９】
0005219061.tif 000032
【図２０】
0005219061.tif 000033
【図２１】
0005219061.tif 000034
【図２２】
0005219061.tif 000035
【図２３】
0005219061.tif 000036
【図２４】
0005219061.tif 000037
【図２５】
0005219061.tif 000038
【図２６】
0005219061.tif 000039
【図２７】
0005219061.tif 000040
【図２８】
0005219061.tif 000041
【図２９】
0005219061.tif 000042
【図３０】
0005219061.tif 000043
【図３１】
0005219061.tif 000044